(57)【特許請求の範囲】
【請求項１】
投射レンズ鏡筒に設けられたバヨネットフランジを、マウント部にねじ結合するマウントリングのバヨネット爪と上記マウント部との間に挟み込み、上記マウントリングを上記ねじ結合の締め付け方向に回転して上記マウント部に締め込むことにより、上記バヨネット爪と上記マウント部との間に上記バヨネットフランジを固定することで、上記投射レンズ鏡筒が取り付けられる投射型表示装置において、
上記マウント部側に設けられるねじと、上記マウントリングに形成される凹部に設けられ上記マウントリングを上記締め付け方向に回転させたときに上記ネジと係合する縁部とを有し、
上記マウントリングの回転を許容する否ロック位置と上記マウントリングの緩む方向への回転を阻止するロック位置との間で変位可能であり、付勢手段により否ロック位置からロック位置に向かって付勢されるストッパ手段と、
上記マウントリングに設けられ、上記マウントリングが締め付け方向の所定位置よりも緩む方向の回転位置に回転させられているときは、上記ストッパ手段の前端部に当接することにより上記ストッパ手段を上記付勢手段の付勢に抗して否ロック位置に変位させるとともに、上記マウントリングが締め付け方向の所定位置に回転したときは、上記ストッパ手段との上記当接が外れ、上記ロック位置に変位した上記ストッパ手段に上記マウントリングの緩む方向で係合する係合手段と、
を備えることを特徴とする投射型表示装置。
【請求項２】
投射レンズ鏡筒に設けられたバヨネットフランジを、マウント部にねじ結合するマウントリングのバヨネット爪と上記マウント部との間に挟み込み、上記マウントリングを上記ねじ結合の締め付け方向に回転して上記マウント部に締め込むことにより、上記バヨネット爪と上記マウント部との間に上記バヨネットフランジを固定することで、上記投射レンズ鏡筒が取り付けられる投射型表示装置において、
上記マウントリング側に設けられるねじと、上記マウント部側に形成される溝部に設けられ上記マウントリングを上記締め付け方向に回転させたときに上記ネジと係合する端部とを有し、
上記マウントリングの回転を許容する否ロック位置と上記マウントリングの緩む方向への回転を阻止するロック位置との間で変位可能であり、付勢手段により否ロック位置からロック位置に向かって付勢されるストッパ手段と、
上記マウントリングに設けられ、上記マウントリングが締め付け方向の所定位置よりも緩む方向の回転位置に回転させられているときは、上記ストッパ手段の前端部に当接することにより上記ストッパ手段を上記付勢手段の付勢に抗して否ロック位置に変位させるとともに、上記マウントリングが締め付け方向の所定位置に回転したときは、上記ストッパ手段との上記当接が外れ、上記ロック位置に変位した上記ストッパ手段に上記マウントリングの緩む方向で係合する係合手段と、
を備えることを特徴とする投射型表示装置。
【請求項３】
前記ストッパ手段とともに前記付勢手段による付勢を受けて前記ストッパ手段と一体に変位し、前記ストッパ手段が前記ロック位置に位置するときに、前記係合手段に対して前記付勢手段による付勢を受けて変位する方向に当接する当接部を備えることを特徴とする請求項１または２に記載の投射型表示装置。
【請求項４】
前記ストッパ手段は、前記投射レンズ鏡筒の取り付け方向に押されることで前記ロック位置から前記否ロック位置へ変位することを特徴とする請求項１から３のいずれか１項に記載の投射型表示装置。
【発明の詳細な説明】
【技術分野】
【０００１】
本発明は、投射レンズ鏡筒を交換可能な投射型表示装置に関する。
【背景技術】
【０００２】
スクリーンの大きさやスクリーンまでの距離に応じて投射レンズ鏡筒を選択し、交換することができるように構成される投射型表示装置は広く使用されている。そして、このような投射型表示装置には、投射レンズ鏡筒との取り付け部に、着脱の容易性や取り付けの確実性などの点から、いわゆるバヨネット方式が採用されているものがある。
【０００３】
バヨネット方式は、投射レンズ鏡筒側に設けられたバヨネットフランジを、投射型表示装置の側にねじ結合するマウントリングの爪部とマウント面との間に挟み込み、マウントリングをねじ結合部の回りに回転してマウント面側に締め込むことにより、マウントリングの爪とマウント面との間にバヨネットフランジを固定する構成になっている（例えば、特許文献１参照）。
【０００４】
【特許文献１】特開２００４−５４０４０号公報（要約書等を参照）
【発明の開示】
【発明が解決しようとする課題】
【０００５】
しかし、このようなバヨネット方式においては、作業者が、取り付けを確実なものとしようとするあまり、マウントリングを締め付けすぎ、マウントリングと投射型表示装置とのねじ結合部のねじ山を破損してしまう問題がある。
【０００６】
特に投射型表示装置に使用される投射レンズ鏡筒は、投射像を明るくするために口径の大きなレンズを使用する必要があることからその重量が重く、作業者にはなおさらマウントリングを強く締め付けなくてはいけないという意識が働く。
【０００７】
また、特許文献１には、マウントリングが緩まないようにする構成が開示されているものの、レンズフードを着脱することにより、マウントリングの回動の防止とその解除を行うものであり、投射レンズ鏡筒の着脱の度に、レンズフードを着脱しなくてはならず、作業が煩雑になるという問題がある。
【０００８】
そこで、本発明は、マウントリングの締め付けすぎの防止を図ることができるとともに、マウントリングの緩みを容易に防止することができる投射型表示装置を提供すること目的とする。
【課題を解決するための手段】
【０００９】
上記課題を解決するために、本発明は、投射レンズ鏡筒に設けられたバヨネットフランジを、マウント部にねじ結合するマウントリングのバヨネット爪とマウント部との間に挟み込み、マウントリングをねじ結合の締め付け方向に回転してマウント部に締め込むことにより、バヨネット爪とマウント部との間にバヨネットフランジを固定することで、投射レンズ鏡筒が取り付けられる投射型表示装置において、マウント部側に設けられるねじと、マウントリングに形成される凹部に設けられマウントリングを締め付け方向に回転させたときにネジと係合する縁部とを有し、マウントリングの回転を許容する否ロック位置とマウントリングの緩む方向への回転を阻止するロック位置との間で変位可能であり、付勢手段により否ロック位置からロック位置に向かって付勢されるストッパ手段と、マウントリングに設けられ、マウントリングが締め付け方向の所定位置よりも緩む方向の回転位置に回転させられているときは、ストッパ手段の前端部に当接することによりストッパ手段を付勢手段の付勢に抗して否ロック位置に変位させるとともに、マウントリングが締め付け方向の所定位置に回転したときは、ストッパ手段との当接が外れ、ロック位置に変位したストッパ手段にマウントリングの緩む方向で係合する係合手段とを備えることとする。このように投射型表示装置を構成した場合には、マウントリングが締め付け方向に所定位置まで回転すると、それ以上回転しないように構成されるため、締め付けすぎによるマウントリングの破損を防止することができる。これに加えて、さらに、マウントリングが締め付け方向に所定位置まで回転したときに、ストッパ手段が否ロック位置からロック位置に自動的に変位し、マウントリングの緩む方向への回転が阻止される。
また、上記課題を解決するために、本発明は、投射レンズ鏡筒に設けられたバヨネットフランジを、マウント部にねじ結合するマウントリングのバヨネット爪とマウント部との間に挟み込み、マウントリングをねじ結合の締め付け方向に回転してマウント部に締め込むことにより、バヨネット爪とマウント部との間にバヨネットフランジを固定することで、投射レンズ鏡筒が取り付けられる投射型表示装置において、マウントリング側に設けられるねじと、マウント部側に形成される溝部に設けられマウントリングを締め付け方向に回転させたときにネジと係合する端部とを有し、マウントリングの回転を許容する否ロック位置とマウントリングの緩む方向への回転を阻止するロック位置との間で変位可能であり、付勢手段により否ロック位置からロック位置に向かって付勢されるストッパ手段と、マウントリングに設けられ、マウントリングが締め付け方向の所定位置よりも緩む方向の回転位置に回転させられているときは、ストッパ手段の前端部に当接することによりストッパ手段を付勢手段の付勢に抗して否ロック位置に変位させるとともに、マウントリングが締め付け方向の所定位置に回転したときは、ストッパ手段との当接が外れ、ロック位置に変位したストッパ手段にマウントリングの緩む方向で係合する係合手段とを備えることとする。このように投射型表示装置を構成した場合には、マウントリングが締め付け方向に所定位置まで回転すると、それ以上回転しないように構成されるため、締め付けすぎによるマウントリングの破損を防止することができる。これに加えて、さらに、マウントリングが締め付け方向に所定位置まで回転したときに、ストッパ手段が否ロック位置からロック位置に自動的に変位し、マウントリングの緩む方向への回転が阻止される。
【００１０】
また、他の発明は、上述の投射型表示装置にさらに、ストッパ手段とともに付勢手段による付勢を受けてストッパ手段と一体に変位し、ストッパ手段がロック位置に位置するときに、係合手段に対して前記付勢手段による付勢を受けて変位する方向に当接する当接部を備えることとする。このように構成した場合には、ストッパ手段が、ロック位置に変位したときに、ストッパ手段とともに変位する当接部が、マウントリングに設けられる当接部に対して、付勢手段による付勢力で当接するため、２つの当接部の間で、衝突音が発生し、作業者が、マウントリングを所定の締め付け方向の位置まで回転したことを認識することができる。
【００１１】
また、他の発明は、ストッパ手段が、投射レンズ鏡筒の取り付け方向に押されることでロック位置から否ロック位置へ変位することとする。このように構成した場合には、ストッパ手段と係合手段との係合の解除を、投射レンズ鏡筒の取り付け方向から行うことができるので、係合の解除作業がしやすいものとなる。
【発明の効果】
【００１２】
本発明によると、マウントリングの締め付けすぎの防止を図ることができるとともに、マウントリングの緩みを容易に防止することができる。
【発明を実施するための最良の形態】
【００１３】
以下、本発明に係る投射型表示装置の実施の形態について、図１から図７を参照しながら説明する。本実施の形態においては、投射型表示装置として、微小ミラー型表示素子を光変調手段として備える投射型表示装置を例にして説明しているが、これに限らず、光変調手段に液晶表示装置を用いるいわゆる液晶プロジェクタ等の他の形式の投射型表示装置であってもよい。なお、微小ミラー型表示素子とは、シリコン基板上に数μm角程度の微小ミラーを多数並べ、この微小ミラーの傾きを静電引力を利用して変えることにより、光源からの光をスクリーン方向に反射させるかどうかを制御する光変調素子であり、一般にテキサスインスツルメンツ社の商品名としてＤＭＤ（Ｄｉｇｉｔａｌ  Ｍｉｃｒｏｍｉｒｒｏｒ  Ｄｅｖｉｃｅ）と称されている素子と同機能を備えるものである。
【００１４】
まず、図１を参照しながら、この実施の形態に係る微小ミラー型表示素子を備える投射型表示装置（以下、単に投射型表示装置という）１０の全体的な構成について説明する。
【００１５】
投射型表示装置１０は、光源としてのランプ２０、カラーホイール（以下、ＣＷと記載する）３０、照明光学系４０、光変調手段としての微小ミラー型表示素子５０、投射レンズ鏡筒６０等が図示を省略する外装筐体内に収容されて構成されている。
【００１６】
なお、以下の説明において、ランプ２０から投射レンズ鏡筒６０に向かう照明光の光軸に沿って、投射レンズ鏡筒６０の側を前方（前側）、ランプ２０の側を後方（後側）とする。また、図１において、紙面の表面側を投射型表示装置１０の上方（上側）、裏面側を下方（下側）とし、照明光の進行方向に向かって光軸と上下方向とに直交する方向を左右方向（幅方向）として説明をする。
【００１７】
ランプ２０は、超高圧水銀ランプ等から構成され、白色の光を出射する。このランプ２０は楕円反射鏡２１を有し、ランプ２０の輝点、つまりフィラメント部あるいは放電部が、楕円反射鏡２１の第一焦点位置に配置され、輝点から照射された照明光は、楕円反射鏡２１の第二焦点に集光させられる。
【００１８】
ランプ２０と照明光が集光する位置との間には、ＣＷ３０が配設される。このＣＷ３０は円板状に形成され、例えば、緑色光を透過するフィルタ部と、赤色を透過するフィルタ部と、青色を透過するフィルタ部とが、円の中心に対して扇形に３分割されて構成されている。そして、ＣＷ３０がモータ３１により回転すると、各フィルタが照明光の光路内に順次入れ替わり、ランプ２０の照明光が、時分割で各フィルタの透過色により変調されることになる。ランプ２０とＣＷ３０との間には防爆ガラス２２が備えられている。この防爆ガラス２２により、超高圧水銀ランプが破裂したときのガラス破片のＣＷ３０側への飛散を防ぎ、ＣＷ３０等の部品の破損を防止している。
【００１９】
ＣＷ３０の照明光の出射側には、照明光学系４０を構成するロッドインテグレータ４１、集光レンズ４２が配設されている。ロッドインテグレータ４１は、その入射側の開口部４１Ａを、楕円反射鏡２１の第二焦点位置、つまり、ランプ２０から出射された照明光が集光する位置に一致させて配設される。そのため、楕円反射鏡２１により反射された照明光は、防爆ガラス２２やＣＷ３０等で反射されたり吸収されるロス分を除き、全てロッドインテグレータ４１内に入射させられる。ロッドインテグレータ４１に入射した照明光は、内部の反射面で複数回の反射を繰り返すことにより照度分布が均一な照明光としてロッドインテグレータ４１の出射側の開口部４１Ｂから出射する。ロッドインテグレータ４１から出射した照明光は、集光レンズ４２を透過し、平面ミラー４３とコンケーブミラー４４で反射して微小ミラー型表示素子５０に入射する。
【００２０】
集光レンズ４２、平面ミラー４３およびコンケーブミラー４４は、ロッドインテグレータ４１の開口部４１Ｂと微小ミラー型表示素子５０の光変調面である反射面とを光学的に共役な関係にするように構成されている。そのため、微小ミラー型表示素子５０の反射面には開口部４１Ｂにおける光像が結像される。
【００２１】
微小ミラー型表示素子５０は、不図示の制御回路からの画像信号に基づいて駆動制御され、ランプ２０からの照明光を、画像信号に基づいて、投射レンズ鏡筒６０に向けて反射する反射光（いわゆるオン光）と、投射レンズ鏡筒６０に入射しない位置に反射させる光（いわゆるオフ光）に分ける。
【００２２】
投射レンズ鏡筒６０は、微小ミラー型表示素子５０の反射面とスクリーンＳとを光学的に共役な関係にする役目を果たしている。そのため、スクリーンＳには、微小ミラー型表示素子５０のオン光よる画像が拡大投射され、投射像として結像することになる。
【００２３】
微小ミラー型表示素子５０には、ＣＷ３０により変調された緑色光、赤色光および青色光の照明光が時分割で入射する。したがって、スクリーンＳには、色光毎の投射像が時分割で投射されることになる。
【００２４】
ＣＷ３０は、回転モータ３１により毎分数千回転から毎分１万回転を超える高速で回転させられるため、スクリーンＳ上に投射される各色光の投射像もＣＷ３０の回転速度に対応して非常に高速で切り換わる。したがって、スクリーンＳに投射される投射像を観る人間の目には、目の残像効果により、各色光の投射像が合成された色調の画像として観察されることになる。一方、オフ光については、本実施の形態においては、微小ミラー型表示素子５０から投射レンズ鏡筒６０に向かって右上側に向かって反射されるように構成されている。
【００２５】
次に、図１に加え、図２、図３を参照しながら、投射型表示装置１０の詳細な構成について説明する。図２は、第１のレンズ鏡筒シフト機構８０、第２のレンズ鏡筒シフト機構９０、投射レンズ鏡筒６０等の構成とこれらの配設の関係を判りやすく示した分解斜視図である。図３は、微小ミラー型表示素子保持筐体７０に、第１のレンズ鏡筒シフト機構８０、第２のレンズ鏡筒シフト機構９０、投射レンズ鏡筒６０等が取り付けられた状態を左斜め前方から見た斜視図である。
【００２６】
平面ミラー４３とコンケーブミラー４４は、集光レンズ４２から出射した照明光が微小ミラー型表示素子５０で反射されて投射レンズ鏡筒６０に入射するように、微小ミラー型表示素子保持筐体７０内に配設される。この微小ミラー型表示素子保持筐体７０は、マグネシウム合金等の金属製の部材で形成され、略直方体を呈し、右側面には、集光レンズ４２から出射する照明光が通る図示外の開口部が形成されている。また、後側面には微小ミラー型表示素子５０が取り付けられる図示外の開口部が形成されている。微小ミラー型表示素子５０は、この開口部から微小ミラー型表示素子保持筐体７０の内側に微小ミラー型表示素子５０の光変調面を臨ませるように、微小ミラー型表示素子保持筐体７０の後側から微小ミラー型表示素子保持筐体７０に対して取り付けられる。さらに、前方側には、微小ミラー型表示素子５０から投射レンズ鏡筒６０に向けて反射される照明光が通過する開口部７１が形成されている。微小ミラー型表示素子保持筐体７０は、ランプ２０、ＣＷ３０等が収容される上述の図示を省略する外装筐体に対して固定して取り付けられている。そして、微小ミラー型表示素子保持筐体７０には、図２に示すように、前方に向かって順に第１のレンズ鏡筒シフト機構８０、第２のレンズ鏡筒シフト機構９０、投射レンズ鏡筒６０等が取り付けられる。
【００２７】
第１のレンズ鏡筒シフト機構８０は、微小ミラー型表示素子保持筐体７０の前面部に一体に設けられる移動体支持部７２に対して左右方向に移動可能に支持される第１の移動体８１と、この第１の移動体８１を微小ミラー型表示素子保持筐体７０に対して左右方向に移動させる第１の駆動系部８２を備えている。
【００２８】
移動体支持部７２は、前方向から見たときの外周の形状が矩形を呈し、微小ミラー型表示素子保持筐体７０の上側の面よりも上方向に突出するフランジ状部７３と下側の面よりも下方に突出するフランジ状部７４から構成されている。この移動体支持部７２の内側には、微小ミラー型表示素子５０から投射レンズ６０に向けて反射された照明光が通過する開口部７１が形成されている。
【００２９】
フランジ状部７３の上側には、第１の移動体８１を支持するとともに左右方向に移動可能にガイドするガイド部７３Ａが設けられている。また、フランジ状部７４の下側にも、第１の移動体８１を支持するとともに左右方向に移動可能にガイドするガイド部７４Ａが設けられている。
【００３０】
ガイド部７３Ａは、前方から後方に向かって下側に傾斜し、左右方向に沿ってフランジ状部７３の幅方向の全域に亘って形成される斜面から構成されている。一方、ガイド部７４Ａは、前方から後方に向かって上側に傾斜し、左右方向に沿ってフランジ状部７４の略中央から右側に亘って形成される斜面から構成されている。ガイド部７３Ａとガイド部７４Ａは、左右方向に向かって互いに平行になっている。なお、ガイド部７４Ａは、第１の移動体８１の後側に配設されているため、図２においてその左側の端部のみ現れている。
【００３１】
第１の移動体８１は、アルミニウム合金等の金属製の部材で形成され、左右の側板８１Ａ，８１Ｂ、上下の側板８１Ｃ，８１Ｄ、およびこれらの側板８１Ａ，８１Ｂ，８１Ｃ，８１Ｄの後側に設けられる底板８１Ｅを有し、前方部が、開口部８１Ｆとして開口し、全体として、外周の形状が矩形を呈する箱型となっている。底板８１Ｅには、中心よりやや右側よりに、微小ミラー型表示素子５０から投射レンズ６０に向かう照明光が通過する円形の開口部８１Ｇが形成されている。
【００３２】
第１の移動体８１には、底板８１Ｅの後側の面の上縁部に、ポリカーボネイト等の樹脂材で形成される被ガイド部８３が取り付けられ、また、下縁部にも、被ガイド部８３と同様にポリカーボネイト等の樹脂材で形成される被ガイド部８４が取り付けられる。
【００３３】
被ガイド部８３は、下側の面が前方から後方に向かって下側に傾斜する斜面である被ガイド面８３Ａを有し、前後方向に沿う上下方向の平面で切断した断面形状において略台形を呈している。被ガイド面８３Ａの左右方向の長さは、ガイド部７３Ａの左右方向と同じ長さになっている。被ガイド部８３の前面部にはボス８３Ｂが設けられている。また、底板８１Ｅの後側の面には、このボス８３Ｂが嵌る図示外のボス孔が形成されている。そして、このボス孔にボス８３Ｂを嵌めて被ガイド部８３を底板８１Ｅに位置決めし、被ガイド部８３のねじ挿通孔８３Ｃに図示を省略するねじを通し、底板８１Ｅに形成される図示外のねじ孔にねじ結合することにより被ガイド部８３を底板８１Ｅに対して固定する。
【００３４】
被ガイド部８４は、上側の面が前方から後方に向かって上側に傾斜する斜面である図示外の被ガイド面を有し、被ガイド部８３と同様に、断面形状において略台形を呈している。この被ガイド面（被ガイド部８４の図示外の被ガイド面）の左右方向の長さは、ガイド部７４Ａの左右方向と同じ長さになっている。被ガイド部８４も、被ガイド部８３と同様に、この被ガイド部８４に設けられるボスと、底板８１Ｅの側に形成されるボス孔により位置決めした状態で、ねじにより底板８１Ｅに対して固定される。
【００３５】
被ガイド部８３と被ガイド部８４は、被ガイド面８３Ａと被ガイド面（被ガイド部８４の図示外の被ガイド面）が左右方向に向かって平行になるように底板８１Ｅに取り付けられる。上述したように、被ガイド面８３Ａは、下側の面が前方から後方に向かって下側に傾斜する斜面であり、また、被ガイド面（被ガイド部８４の図示外の被ガイド面）は、上側の面が前方から後方に向かって上側に傾斜する斜面である。つまり、被ガイド部８３の被ガイド面８３Ａと被ガイド部８４の被ガイド面（図示外）の間隔が、前方から後方に向かって狭くなっている。したがって、被ガイド面８３Ａと被ガイド面（被ガイド部８４の図示外の被ガイド面）および底板８１Ｅの裏面とで、いわゆる蟻溝（開口側の幅が奥側の幅より狭い凹部）を構成することになる。そして、ガイド部７３Ａと被ガイド面８３Ａとが互いに摺接し、また、ガイド部７４Ａと被ガイド面（被ガイド部８４の図示外の被ガイド面）についても互いに摺接するように、蟻溝内に移動体支持部７２が嵌合され、第１の移動体８１は、移動体支持部７２に対して左右方向に移動可能な状態で支持されることになる。つまり、ガイド部７３Ａ、７４Ａを有する移動体支持部７２は、蟻溝に嵌合する蟻（先端側の幅が根元側の幅より広い凸部）となっている。
【００３６】
第１の駆動系部８２は、モータ８２Ａ、送りねじ８２Ｂ、送りねじ８２Ｂが貫通するとともに貫通部において送りねじ８２Ｂとねじ結合する連結部材８２Ｃおよびギア列８２Ｄ等を備えている。
【００３７】
モータ８２Ａは、ホルダ８２Ｅを介して外装筐体（図示省略）に対して固定するように取り付けられる。
【００３８】
フランジ状部７４の下側の略中央より左側、つまり、ガイド部７４Ａの左側には、送りねじ８２Ｂを支持する左右一対の送りねじ支持部７４Ｂが設けられている。一対の送りねじ支持部７４Ｂは、左右に間隔を開けて設けられている。各送りねじ支持部７４Ｂはそれぞれフランジ状部７４に一体に形成されるものであって、下方に向けて舌状に突出するように形成されている。各送りねじ支持部７４Ｂの下端部には、下端側から上方に向かう凹部が、送りねじ８２Ｂを軸支する軸受部７４Ｃとして形成されている。
【００３９】
送りねじ８２Ｂには、ねじ部８２Ｂｎの両端部に軸部８２Ｂｇが設けられ、この軸部８２Ｂｇを、軸受けスリーブ８２Ｆに通し、この軸受けスリーブ８２Ｆを軸受け部７４Ｃ内に嵌合し接着等の方法により固定する。つまり、送りねじ８２Ｂは、軸受けスリーブ８２Ｆを介して送りねじ支持部７４Ｂに支持されることになる。軸部８２Ｂｇは軸受けスリーブ８２Ｆのスリーブ内において回転自在に保持される。そのため、送りねじ８２Ｂは、送りねじ支持部７４Ｂに対して回転自在に支持されることになる。
【００４０】
連結部材８２Ｃの左側に延びる軸部８２Ｂｇは、連結部材８２Ｃの右側に延びる軸部８２Ｂｇよりも長く形成されていて、送りねじ支持部７４Ｂに支持された状態で、左側に位置する送りねじ支持部７４Ｂの左側面から軸部８２Ｂｇが突出するようになっている。この突出部にギア列８２Ｄの大径のギア８２Ｄ１が取り付けられる。一方、モータ８２Ａの出力軸には、小径のギア８２Ｄ２が取り付けられ、ギア８２Ｄ２とギア８２Ｄ１から構成されるギア列８２Ｄを介して、モータ８２Ａの回転力が、減速されて送りねじ８２Ｂに伝達されるように構成されている。
【００４１】
連結部材８２Ｃは、全体として略直方体を呈している。連結部材８２Ｃの前側の左側の縁部には、略直方体の凹部８２Ｃ１が形成され、この凹部８２Ｃ１には、凹部８２Ｃ１内を埋めると共に、凹部８２Ｃ１の左側の面（連結部材８２Ｃの左側の面）よりやや突出する大きさと形状のシリコンゴム等の合成樹脂等で形成された弾性変形可能な弾性部材であるゴム片８２Ｇが嵌め込まれている。そして、連結部材８２Ｃは、送りねじ８２Ｂが貫通する部分より前方の凹部８２Ｃ1を含む部分と、送りねじ８２Ｂが貫通する部分の上側部分とが、底板８１Ｅに一体に設けられる図示外の連結部材嵌合部に嵌合している。
【００４２】
この連結部材嵌合部（図示外）は、第１の移動体８１の側板８１Ｄの下側に舌状に突出する左右２つの板状の突出部から形成される。２つの突出部（図示外）の間の間隔は、連結部材８２Ｃの左右方向の幅（厚さ）に対して若干広くなっているとともに、凹部８２Ｃ1の左側の面から突出したゴム片８２Ｇを含めた連結部材８２Ｃの左右方向の幅よりも若干小さくなるように設定している。そのため、連結部材８２Ｃは、凹部８２Ｃ1の左側の面から突出したゴム片８２Ｇの弾性力に抗して、連結部材嵌合部（図示外）、つまり、２つの突出部（図示外）の間に嵌合されることになる。したがって、連結部材８２Ｃの右側の面は、右側の突出部（図示外）に当接し、左側の突出部（図示外）にはゴム片８２Ｇが当接することになる。
【００４３】
また、連結部材８２Ｃの上下方向の幅（厚さ）と、送りねじ支持部７４Ｂによる送りねじ８２Ｂの上下方向の支持位置は、送りねじ８２Ｂを送りねじ支持部７４Ｂに支持したとき、連結部材８２Ｃの上側の面部と、側板８１Ｄとの間に若干の隙間が形成されるように設定されている。
【００４４】
連結部材８２Ｃは、送りねじ８２Ｂの回転に引きずられてともに回転する供回りをしようとするが、連結部材８２Ｃの上側の面部が底板８１Ｄに当接するため、供回りが阻止される。連結部材８２Ｃの後側の面部と側板８１Ｄとの間には、若干の隙間が形成されているため、この隙間分だけ、連結部材８２Ｃは送りねじ８２Ｂの回転に引きずられて僅かに回転することもあるが、隙間分だけ回転した後は、連結部材８２Ｃの上側の面部が、側板８１Ｄに当接し回転が阻止される。すなわち、連結部材８２Ｃは、この連結部材嵌合部に対して、送りねじ８２Ｂとの供回りを阻止されるとともに、左右方向に当接部を有するように嵌合している。
【００４５】
このため、連結部材８２Ｃが、送りねじ８２Ｂの作用を受けて左右方向に移動すると、第１の移動体８１も、被ガイド部８３と被ガイド部８４をガイド部７３Ａとガイド部７４Ａにガイドされながら移動することになる。
【００４６】
この連結部材嵌合部の構造および連結部材８２Ｃの構造は、後述する、第２のレンズ鏡筒シフト機構９０において説明する連結部材９２Ｃおよび連結部材嵌合部９３と同様の構成であるので、さらに詳細な事項につては後述する。
【００４７】
第２のレンズ鏡筒シフト機構９０は、第１の移動体８１に対して上下方向に移動可能に支持される第２の移動体９１と、この第２の移動体９１を、第１の移動体８１に対して、つまり、微小ミラー型表示素子保持筐体７０に対して上下方向に移動させる第２の駆動系部９２を備えている。
【００４８】
第２の移動体９１は、アルミニウム合金等の金属製の部材で形成され、外周の形状が矩形の板体を呈し、略中央部に微小ミラー型表示素子５０から投射レンズ６０に向かう照明光が通過する円形の開口部９１Ａが形成されている。
【００４９】
この第２の移動体９１には、周囲に肉厚部９１Ｂが形成されている。そして、この肉厚部９１Ｂの右側の側面は、第１の移動体８１に対して上下方向に移動可能にガイドされる被ガイド部９１Ｃとして形成されている。また、肉厚部９１Ｂの左側の側面は、被ガイド部９１Ｃとともに、第１の移動体８１に対して上下方向に移動可能にガイドされる被ガイド部９１Ｄとして形成されている。
【００５０】
被ガイド部９１Ｃは、前方から後方に向かって右側に傾斜し、上下方向に沿って第２の移動体９１の上下方向の全域に亘って形成される斜面から構成されている。一方、被ガイド部９１Ｄは、前方から後方に向かって左側に傾斜し、上下方向に沿って第２の移動体９１の上下方向の下側略３分の２程度に亘って形成される斜面から構成されている。被ガイド部９１Ｃと被ガイド部９１Ｄは、上下方向に向かって互いに平行になるように、第２の移動体９１に形成されている。
【００５１】
第２の移動体９１は、開口部８１Ｆの側から、第１の移動体８１の側板８１Ａ，８１Ｂ，８１Ｃ，８１Ｄの内側に収容され、第１の移動体８１の底板８１Ｅの左右に取り付けられるガイド部８５，８６により、第１の移動体８１に保持される。ガイド部８５，８６は、被ガイド部８３，８４と同様にポリカーボネイト等の樹脂材で形成されている。
【００５２】
ガイド部８５は、第１の移動体８１の底板８１Ｅの右側、つまり底板８１Ｅと側板８１Ａとの角部の内側に取り付けられる。ガイド部８５は、左側の面が前方から後方に向かって右側に傾斜する斜面であるガイド面８５Ａを有し、前後方向に沿う左右方向の平面で切断した断面形状において略台形を呈している。ガイド面８５Ａの上下方向の長さは、被ガイド部９１Ｃの上下方向の長さと同じ長さになっている。ガイド部８５の後側の面にはボス（図示外）が上下の２箇所に設けられ、底板８１Ｅには、このボス８５Ｂが嵌るボス孔８１Ｉ１が上下の２箇所に形成されている。このボス孔８１Ｉ１にボス８５Ｂを嵌めてガイド８５Ｂを底板８１Ｅに対して位置決めする。そして、ガイド部８５の上下方向の３箇所に形成されるねじ挿通孔８５Ｃに図示を省略するねじを通し、このねじを底板８１Ｅの上下方向の３箇所に形成されるねじ孔８１Ｊ１にねじ結合し、ガイド部８５を底板８１Ｅに対して固定する。
【００５３】
ガイド部８６は、第１の移動体８１の左端の領域８７（一点鎖線で囲まれる矩形領域））の右側の底板８１Ｅに取り付けられる。この領域８７には、第２の駆動系部９２が取り付けられる。ガイド部８６は、右側の面が前方から後方に向かって左側に傾斜する斜面であるガイド面８６Ａを有し、ガイド部８５と同様に、断面形状において略台形を呈している。ガイド面８６Ａの上下方向の長さは、被ガイド部９１Ｄの上下方向の長さと同じ長さになっている。
【００５４】
ガイド部８６も、ガイド部８５と同様に、このガイド部８５の後側の面に設けられるボス（図示外）と、底板８１Ｅの上下２箇所に形成されるボス孔８１Ｉ２により底板８１Ｅに対して位置決めされる。そして、ガイド部８６の上下方向の３箇所に形成される図示外のねじ挿通孔に図示を省略するねじを通し、このねじを底板８１Ｅに上下方向の３箇所に形成されるねじ孔８１Ｊ２にねじ結合し、ガイド部８６を底板８１Ｅに対して固定する。
【００５５】
ガイド部８５とガイド部８６は、ガイド面８５Ａとガイド面８６Ａが上下方向に向かって平行になるように底板８１Ｅに取り付けられる。また、ガイド部８５とガイド部８６の取り付けの左右方向の幅と、被ガイド部９１Ｃと被ガイド部９１Ｄの左右方向の幅は、ガイド面８５Ａとガイド面８６Ａの間に、被ガイド部９１Ｃと被ガイド９１Ｄが丁度嵌るように設定する。
【００５６】
上述したように、ガイド面８５Ａは、左側の面が前方から後方に向かって右側に傾斜する斜面であり、また、ガイド面８６Ａは、右側の面が前方から後方に向かって左側に傾斜する斜面である。そのため、底板８１Ｅに取り付けられたガイド部８５とガイド部８６のガイド面８５Ａとガイド面８６Ａの間隔は、後方から前方に向かって狭くなっている。したがって、ガイド面８５Ａとガイド面８６Ａおよび底板８１Ｅの前面とは、いわゆる蟻溝を構成することになる。そして、被ガイド部９１Ｃとガイド面８５Ａとが互いに摺接し、また、被ガイド部９１Ｄとガイド面８６Ａについても互いに摺接する状態で、蟻溝内に第２の移動体９１が嵌合されることにより、第２の移動体９１は、第１の移動体８１に対して上下方向に移動可能に保持されることになる。つまり、被ガイド部９１Ｃ、９１Ｄを有する第２の移動体９１は、蟻溝に嵌合する蟻となっている。
【００５７】
次に、第２の駆動系部９２について、図２から図４を参照しながら説明する。図４は、第１のレンズ鏡筒シフト機構８０、第２のレンズ鏡筒シフト機構９０、投射レンズ鏡筒６０等が取り付けられた状態を斜視図として示すとともに、第２の移動体９１に組み込まれる第２の駆動系部９２の部分を分解斜視図として示す図である。
【００５８】
第２の駆動系部９２は、モータ９２Ａ、送りねじ９２Ｂ、送りねじ９２Ｂが貫通するとともに貫通部において送りねじ９２Ｂとねじ結合する連結部材９２Ｃおよびギア列９２Ｄ等を備えている。
【００５９】
第２の駆動系部９２が取り付けられる第１の移動体８１の領域８７には、モータ９２Ａを取り付けるモータ取付部８７Ａと送りねじ９２Ｂを支持する送りねじ支持部８７Ｂが設けられている。モータ取付部８７Ａは、第１の移動体８１の上下方向の略中央よりやや下側に配設されている。また、送りねじ支持部８７Ｂは、モータ取付部８７Ａの上方に配設されている。したがって、第２の駆動系部９２は、第１の移動体８１の左端の上側に偏倚した位置に配設されている。
【００６０】
モータ取付部８７Ａは、側板８１Ｂを内側（左側）に向けて肉厚に膨出させた台状の部分に形成される。このモータ取付部８７Ａには、ボス８７Ａ１とねじ孔８７Ａ２が設けられている。モータ９２Ａは、モータ取付部８７Ａに固定されるホルダ９２Ｅを介して、第１の移動体８１に対して固定して取り付けられる。ホルダ９２Ｅには、ねじ挿通孔９２Ｅ１とボス孔９２Ｅ２が設けられていて、ボス孔９２Ｅ２にボス８７Ａ１に嵌めることによりホルダ９２Ｅのモータ取付部８７Ａに対する取り付の位置決めが行われる。また、ねじ挿通孔９２Ｅ１に図示を省略するねじを通し、このねじをねじ孔８７Ａ２にねじ結合して、ホルダ９２Ｅをモータ取付部８７Ａに固定する。
【００６１】
ねじ支持部８７Ｂは、上下に間隔を開けて上下一対となるように２つ設けられている。そして、各送りねじ支持部８７Ｂは、第１の移動体８１の底板８１Ｅと左側の側板８１Ｂに対して一体に形成され、底板８１Ｅから前方に向けて板状に突出するように設けられている。送りねじ支持部８７Ｂの前端部には、前端側から後方に向かう凹部が、送りねじ９２Ｂを軸支する軸受部８７Ｃとして形成されている。
【００６２】
送りねじ９２Ｂには、ねじ部９２Ｂｎの両端部に軸部９２Ｂｇが設けられ、この軸部９２Ｂｇを、軸受けスリーブ９２Ｆに通し、この軸受けスリーブ９２Ｆを軸受け部８４Ｃ内に嵌合し接着等の方法により固定する。つまり、送りねじ９２Ｂは軸受けスリーブ９２Ｆを介して送りねじ支持部９４Ｂに支持されることになる。軸部９２Ｂｇは軸受けスリーブ９２Ｆのスリーブ内において回転自在に保持される。そのため、送りねじ９２Ｂは、送りねじ支持部８４Ｂに対して回転自在に支持されることになる。
【００６３】
連結部材９２Ｃの下側に延びる軸部９２Ｂｇは、連結部材９２Ｃの上側に延びる軸部９２Ｂｇよりも長く形成されていて、送りねじ支持部８４Ｂに支持された状態で、下側の送りねじ支持部８４Ｂの下側面から軸部９２Ｂｇが突出するようになっている。この突出部にギア列９２Ｄの大径のギア９２Ｄ１が取り付けられる。一方、モータ９２Ａの出力軸には、小径のギア９２Ｄ２が取り付けられ、ギア９２Ｄ２とギア９２Ｄ１から構成されるギア列９２Ｄを介して、モータ９２Ａの回転力が、減速されて送りねじ９２Ｂに伝達されるように構成されている。
【００６４】
連結部材９２Ｃは、全体として略直方体を呈している。連結部材９２Ｃの右側の上側の縁部には、略直方体の凹部９２Ｃ１が形成され、この凹部９２Ｃ１には、凹部９２Ｃ１内を埋める大きさと形状のシリコンゴム等の合成樹脂等で形成された弾性変形可能な弾性部材であるゴム片９２Ｇが嵌め込まれている。
【００６５】
第２の移動体９１の左側の側部には連結部材嵌合部９３が形成され、連結部材９２Ｃは、送りねじ９２Ｂが貫通する部分より右方の凹部９２Ｃ1を含む部分と、送りねじ９２Ｂが貫通する部分の後側部分とが、連結部材嵌合部９３に嵌合している。連結部材９２Ｃは、連結部材嵌合部９３に対して、送りねじ９２Ｂとの供回りを阻止されるとともに、上下方向に当接部を有するように嵌合している。そのため、連結部材９２Ｃが、送りねじ９２Ｂにより上下方向に移動すると、第２の移動体９１も、被ガイド部９１Ｃと被ガイド部９１Ｄをガイド部８５とガイド部８６にガイドされながら移動することになる。
【００６６】
連結部材９２Ｃと連結部材嵌合部９３の構成を以下に詳しく説明する。
【００６７】
連結部材嵌合部９３は、上下の側板９３Ａ，９３Ｂとこれらの側板９３Ａ，９３Ｂに対して後側に設けられる底板９３Ｃから構成され、前後方向に沿う上下方向の平面で切断した断面形状において、前方に開口部を有する略コ字型を呈している。連結部材嵌合部９３の左側は開口部９３Ｄとして形成されている。つまり、連結部材９２Ｃは、上下の側板９３Ａ，９３Ｂおよび底板９３Ｃから構成されるコ字型の部分に嵌合する。
【００６８】
連結部材９２Ｃの上下方向の幅（厚さ）と、連結部材嵌合部９３の内側の上下方向の間隔、つまり側板９３Ａと側板９３Ｂとの間隔は、連結部材９２Ｃの上下方向の幅が、連結部材嵌合部９３の内側の間隔に対して、若干小さくなるようにそれぞれ設定している。また、送りねじ９２Ｂを送りねじ支持部８７Ｂに支持したとき、連結部材９２Ｃの後側の面部と、連結部材嵌合部９３の底板９３Ｃとの間に若干の隙間が形成されるように、連結部材９２Ｃの前後方向の幅（厚さ）と、送りねじ支持部８７Ｂによる送りねじ９２Ｂの前後方向の支持位置が設定されている。
【００６９】
凹部９２Ｃ1に嵌合されるゴム片９２Ｇは、凹部９２Ｃ1の上側の面（連結部材９２Ｃの上側の面）よりやや突出し、ゴム片９２Ｇを含めた連結部材９２Ｃの上下方向の幅が、連結部材嵌合部９３の内側の上下方向の間隔よりも若干大きくなるように構成されている。したがって、連結部材９２Ｃは、凹部９２Ｃ１から突出したゴム片９２Ｇの弾性に抗して連結部材嵌合部９３に押し込むようにして嵌合することになる。つまり、連結部材９２Ｃの下側の面は、連結部材嵌合部９３の側板９３Ｂの上側の面に当接し、側板９３Ａの下側の面にはゴム片９２Ｇが当接することになる。
【００７０】
第２の駆動系部９２は以上のように構成され、モータ９２Ａを回転するとギア列９２Ｄを介して、送りねじ９２Ｂが回転する。
【００７１】
送りねじ９２Ｂにねじ結合する連結部材９２Ｃは、送りねじ９２Ｂの回転に引きずられて供回りをしようとするが、連結部材９２Ｃの後側の面部が底板９３Ｃに当接するため、連結部材９２Ｃは送りねじ９２Ｂと一緒に供回りをすることはない。連結部材９２Ｃの後側の面部と、底板９３Ｃとの間には、若干の隙間が形成されているため、この隙間分だけ、連結部材９２Ｃは送りねじ９２Ｂの回転に引きずられて僅かに回転することもあるが、隙間分だけ回転した後は、連結部材９２Ｃの後側の面部が、底板９３Ｃに当接し回転は阻止される。
【００７２】
このように送りねじ９２Ｂとの供回りが阻止された連結部材９２Ｃは、送りねじ９２Ｂのねじ部９２Ｂｎの作用を受けて、送りねじ９２Ｂの回転方向に応じて上下方向に送られる。そして、連結部材９２Ｃが嵌合する連結部材嵌合部９３が設けられる第２の移動体９１も、被ガイド部９１Ｃと被ガイド部９１Ｄをガイド部８５とガイド部８６にガイドされながら上下方向に移動することになる。
【００７３】
上述したように、連結部材９２Ｃは連結部材嵌合部９３に対してゴム片９２Ｇの弾性に抗して嵌めこまれているだけなので、連結部材９２Ｃと連結部材嵌合部９３とは、送りねじ９２Ｂの軸方向と交差する方向に相対的に移動可能となっている。
【００７４】
つまり、送りねじ９２Ｂが偏芯していたり、あるいは第１の移動体８１が第２の移動体９１をガイドする方向と送りねじ９２Ｂとの平行度が多少ずれていても、送りねじ９２Ｂの軸方向と交差する方向に、連結部材９２Ｃと連結部材嵌合部９３とが相対的に移動可能になっているため、ずれによってモータ９２Ａに過負荷が加わることを防止できる。また、送りねじ９２Ｂのねじ部９２Ｂｎと連結部材９２Ｃとのねじ結合部において片あたりとなること等が防止される。
【００７５】
一方、連結部材９２Ｃの移動方向については、連結部材９２Ｃとの上面と連結部材嵌合部９３の側板９３Ａとの間に、連結部材９２Ｃと側板９３Ａに対して弾性力を作用させているゴム片９２Ｇが介在しているため、連結部材９２Ｃと連結部材嵌合部９３との間の相対移動が抑えられ、連結部材９２Ｃと連結部材嵌合部９３との間のバックラッシュの発生を防いでいる。なお、連結部材９２Ｃと連結部材嵌合部９３との間にゴム片９２Ｇを上下方向に縮める過負荷な力が作用する場合には、ゴム片９２Ｇが縮み、過負荷が連結部材９２と連結部材嵌合部９３との間で直接作用することが防がれる。
【００７６】
連結部材９２Ｃと連結部材嵌合部９３とが、送りねじ９２Ｂの軸方向と交差する方向に相対的に移動する際には、連結部材９２Ｃとの上面と連結部材嵌合部９３の側板９３Ａとの間のゴム片９２Ｇが弾性変形したり、あるいは、ゴム片９２Ｇが側板９３Ａに対して摺動することになる。したがって、ゴム片９２Ｇの弾性や、弾性変形量、あるいは、ゴム片９２Ｇと側板９３Ａとの間の摩擦力を適切に設定することにより、連結部材９２Ｃと連結部材嵌合部９３との相対的な移動をスムーズなものとする。
【００７７】
第２の移動体９１の前方には、マウント部としてのマウント基板１００に対してマウントリング１１０により取り付けられる投射レンズ鏡筒６０が配設される。以下に、投射レンズ鏡筒６０を第２の移動体９１に取り付ける構造を図２および図５から図７を参照しながら説明する。
【００７８】
第２の移動体９１の厚肉部９１Ｂの内側は、前方から見た形状が略矩形に開口した凹部に形成され、この凹部の底面であるマウント基板支持面９１Ｅに、マウント基板１００が取り付けられる。
【００７９】
マウント基板１００は、外形が略矩形のフランジ部１０１と、基板側リング１０２が一体に形成されている。マウント基板１００の中央には、投射レンズ鏡筒６０の後端側の筒部６０Ｂが嵌る円形の孔１００Ａが形成されている。フランジ部１０１の上側の左右には、ボス孔１０１Ａが設けられている。また、マウント基板支持面９１Ｅには、これらのボス孔１０１Ａに対応する位置にボス９１Ｆが設けられている。さらに、フランジ部１０１の４つの角部には、ねじ挿通孔１０１Ｂが形成される。そして、マウント基板支持面９１Ｅには、これらのねじ挿通孔１０１Ｂに対応する位置にねじ孔９１Ｇが形成されている。したがって、マウント基板１００は、これらのボス孔１０１Ａとボス９１Ｆによりマウント基板支持面９１Ｅへの取り付け位置が位置決めされる。位置決めした状態で、図示を省略するねじをねじ挿通孔１０１Ｂに通し、ねじ孔９１Ｇにねじ結合することにより、マウント基板支持面９１Ｅに対して固定して取り付けられる。
【００８０】
マウント基板１００とマウント基板支持面９１Ｅとの間には、図２に示すように、光軸の周りに等間隔となる４箇所に、投射レンズ鏡筒６０のフランジバックを調整するためのスペーサ板１０３が配設されている。スペーサ板１０３は、スペーサ板１０３に形成されるボス孔１０３Ａとマウント基板支持面９１Ｅに設けられるボス９１Ｈにより位置決めされる。また、スペーサ板１０３の凸舌状部１０３Ｂの先端部にはねじ挿通孔１０３Ｃが形成され、ボス９１Ｈに位置決めした状態で、ねじ挿通孔１０３Ｃの後側にねじ孔９１Ｈが位置するようになっている。スペーサ板１０３は、マウント基板１００をマウント基板支持面９１Ｅにスペーサ板１０３を挟んで取り付けたときに、投射レンズ鏡筒６０のフランジバックが所定の距離になるように重ねる枚数や厚さが調整されている。
【００８１】
基板側リング１０２の外周面には、マウントリング１１０の内周面に形成される雌ねじ１１０Ａとねじ結合する雄ねじ１０２Ａが形成されている。また、基板側リング１０２の前側の面であるマウント面１０２Ｂには、光軸を挟んだ左右方向の２箇所にボス１０２Ｃが設けられている。
【００８２】
マウントリング１１０は、前側の面の内周側に突出した３つのバヨネット爪１１０Ｂが、光軸の周りに１２０度毎の間隔で形成されている。マウントリング１１０は、雌ねじ１１０Ａを基板側リング１０２の雄ねじ１０２Ａにねじ結合させて、基板側リング１０２に取り付けられる。雄ねじ１０２Ａと雌ねじ１１０Ａは、左方向（前方から見て時計方向）にマウントリング１１０を回転したときにねじ結合量が増えるように、すなわち、両者が締まるように形成されている。
【００８３】
基板側リング１０２の外周面の頂部に形成されるねじ孔１０２Ｄには、ねじ１０４が外周面から突出するようにねじ結合される。また、マウントリング１１０の後側の縁部には、後方から前方に向かって切り欠かれた凹部１１０Ｃが形成されている。マウントリング１１０を基板側リング１０２にねじ結合し、凹部１１０Ｃ内にねじ孔１０２Ｄが位置した状態で、ねじ１０４をねじ孔１０２Ｄにねじ結合すると、マウントリング１１０の回転が、ねじ１０４と凹部１１０Ｃにより規制されることになる。つまり、マウントリング１１０を左方向に回転したときには、図７（Ａ）に示すように凹部１１０Ｃの右端の縁部１１０Ｃ１がねじ１０４に係合し、マウントリング１１０の左方向への回転が阻止される。逆方向にマウントリング１１０を回転すると、凹部１１０Ｃの左端の縁部１１０Ｃ２がねじ１０４に係合し、マウントリング１１０の右方向への回転が阻止される。ねじ１０４と凹部１１０の縁部１１０Ｃ１は、マウントリング１１０の締め付け方向の回転を阻止する回転規制手段となっている。
【００８４】
マウントリング１１０の外周面には、約４５度の角度の範囲に亘って、径方向に突出する係合手段としてのリブ１１０Ｄが、外周方向（光軸の回り）に形成されている。リブ１１０Ｄは、図５（Ａ）および図７に示すように、マウントリング１１０が、凹部１１０Ｃの縁部１１０Ｃ１とねじ１０４が当接する位置に回転させられているとき、すなわちマウントリング１１０が締め付けられたときに、右側の端部１１０Ｄ１の右側にストッパ手段としてのストッパ板１２１が位置し、右側端部１１０Ｄ１がストッパ板１２１に係合できるようになっている。つまり、右側端部１１０Ｄ１は、ストッパ板１２１に対する係合部となっている。ストッパ板１２１は、光軸方向に沿う面部１２１Ａを有し、リブ１１０Ｄの右側端部１１０Ｄ１は、この面部１２１Ａに対して当接することで、ストッパ板１２１に対して係合する。右側端部１１０Ｄ１がストッパ板１２１に係合すると、マウントリング１１０の右方向への回転が阻止される。なお、ストッパ板１２１は、マウント基板１００のフランジ部１０１の右上の角部に備えられボタン１２０の側面にボタン１２０と一体に構成されている。
【００８５】
マウントリング１１０が、凹部１１０Ｃの縁部１１０Ｃ１がねじ１０４に当接する位置より右側にくるように回転されているときは、右側端部１１０Ｄ１は、ストッパ板１２１との係合が外れる。そして、ストッパ板１２１の先端部が係合手段であるリブ１１０Ｄの当接部としての後側の面１１０Ｄ２（以下、当接面１１０Ｄ２と記載する）に当接する状態となる。この状態では、マウントリング１１０を左右方向に回転することができる。つまり、マウントリング１１０は回転が許容されている。
【００８６】
投射レンズ鏡筒６０には、外周側に突出した３つのバヨネット爪６０ａを備えるバヨネットフランジ６０Ａが設けられている。バヨネット爪６０ａは、光軸の周りに１２０度毎の間隔で形成されている。また、バヨネットフランジ６０Ａの後側の面には、マウント面１０２Ｂのボス１０２Ｃが嵌る図示外のボス穴が形成されている。
【００８７】
マウントリング１１０を右側に回転すると、雄ねじ１０２Ａと雌ねじ１１０Ａの作用により、マウントリング１１０は前方に変位し両者は緩むことになる。マウントリング１１０を、凹部１１０Ｃの縁部１１０Ｃ２がねじ１０４に係合する位置まで右側に回転すると、バヨネット爪１１０Ｂとマウント面１０２Ｂの間には、バヨネット爪６０ａを入れ込むことができる間隔が形成される。この状態で、バヨネット爪６０ａをバヨネット爪１１０Ｂの間に通し、投射レンズ鏡筒６０のボス穴（図示外）をマウント面１０２Ｂのボス１０２Ｃに合わせて、投射レンズ鏡筒６０のバヨネットフランジ６０Ａの後側の面をマウント面１０２Ｂに当接する。そして、マウントリング１１０を左方向に回して、マウントリング１１０を基板側リング１０２に対して締め込む。マウントリング１１０を基板側リング１０２に締め込むと、バヨネットフランジ６０Ａのバヨネット爪６０ａが、マウント面１０２Ｂとマウントリング１１０のバヨネット爪１１０Ｂの間に挟み込まれ、投射レンズ鏡筒６０は、図５（Ａ）に示すようにマウント基板１００に対して固定される。
【００８８】
凹部１１０Ｃの端部１１０Ｃ１がねじ１０４に係合し、マウントリング１１０の回転が阻止されるまでマウントリング１１０を基板側リング１０２に締め込んだときの雄ねじ１０２Ａと雌ねじ１１０Ａとの間の締結力は、雄ねじ１０２Ａと雌ねじ１１０Ａが破損するような過負荷の力が生じない程度であり、かつ、マウント面１０２Ｂとマウントリング１１０のバヨネット爪１１０Ｂとの間に、バヨネットフランジ６０Ａを強く挟み込むことで、投射レンズ鏡筒６０がマウント基板１００に対して確実に固定される力を作用させる程度になっている。縁部１１０Ｃ１の位置等は、雄ねじ１０２Ａと雌ねじ１１０Ａとの間に、このような締結力が生じるように設定される。
【００８９】
凹部１１０Ｃの縁部１１０Ｃ１とねじ１０４が当接する位置にマウントリング１１０を回転させた状態において、リブ１１０Ｄの右側端部１１０Ｄ１の右側にはストッパ板１２１が位置する。そのため、マウントリング１１０を右側に回転させようとしても、右側端部１１０Ｄ１がストッパ板１２１に係合し、マウントリング１１０の右方向への回転が阻止され、マウントリング１１０の緩みが防止される。
【００９０】
リブ１１０Ｄは、右側端部１１０Ｄ１がストッパ板１２１に係合する位置から左側に向かって、少なくとも凹部１１０Ｃの左右方向の幅、つまり縁部１１０Ｃ１と縁部１１０Ｃ２の間隔より長く形成されている。したがって、縁部１１０Ｃ１がねじ１０４から離れ、縁部１１０Ｃ２がねじ１０４に係合までの範囲内にマウントリング１１０が回転されているときは、図５（Ｂ）に示すように、ストッパ板１２１の前端部にリブ１１０Ｄの当接面１１０Ｄ２が当接し、ストッパ板１２１は後方に変位させられている。この状態においては、リブ１１０Ｄの右端部１１０Ｄ１とストッパ板１２１との係合が外れている。そのため、マウントリング１１０は、凹部１１０Ｃの左右方向の範囲で回転が許容されることになる。
【００９１】
ボタン１２０には、ストッパ板１２１の他に、軸部１２０Ａ，１２０Ｂおよび当接部としての当接板１２２が、ボタン１２０と一体に設けられている。軸部１２０Ａ，１２０Ｂは、ボタン１２０の後側面に突設されている。軸部１２０Ａは、フランジ部１０１に形成されたスリーブ１０１Ｃに、前後方向（軸方向）に摺動可能に支持されている。また、軸部１２０Ｂは、フランジ部１０１に形成された孔部１０１Ｄに、前後方向（軸方向）に摺動可能に挿通されている。軸部１２０Ｂの側には、フランジ部１０１の前面とボタン１２０の後面との間に付勢手段としてのコイルスプリング１２０Ｃが配設されている。
【００９２】
当接板１２２は、ストッパ板１２１の面部１２１Ａの後側の端部から、面部１２１Ａに対して直角にリブ１１０Ｄの側に突出し、ストッパ板１２１と共に略Ｌ字型をなすように形成されている。
【００９３】
マウントリング１１０が、ねじ１０４に凹部１１０Ｃの縁部１１０Ｃ２が係合する位置から縁部１１０Ｃ１に係合する手前までの回転範囲に位置するときは、ストッパ板１２１の前端部は、リブ１１０Ｄの当接面１１０Ｄ２に当接するように配設される。したがって、ストッパ板１２１は、当接面１１０Ｄ２によりコイルスプリング１２０Ｃの付勢力に抗して後方に押され、リブ１１０Ｄの右側端部１１０Ｄ１との係合が外れる否ロック位置に変位している。当接板１２２は、ストッパ板１２１とともにボタン１２０と一体に構成されているので、この当接板１２２も後方に変位している。
【００９４】
マウントリング１１０が、締め付け方向の所定位置に回転させられると、図５（Ａ）および図７に示すように、リブ１１０Ｄの当接面１１０Ｄ２はストッパ板１２１の前端部から外れる。この所定位置とは、基板側リング１０２の雄ねじ１０２Ａとマウントリング１１０の雌ねじ１１０Ａとの間の締結力が、雄ねじ１０２Ａと雌ねじ１１０Ａが破損するような過負荷の力が生じない程度であり、かつ、バヨネットフランジ６０Ａをマウント面１０２Ｂとマウントリング１１０のバヨネット爪１１０Ｂとの間に、投射レンズ鏡筒６０がマウント基板１００に対して確実に固定されるように挟み込む力が作用する程度になるようにマウントリング１１０が基板側リング１０２に締め込まれる位置である。つまり、この所定位置は、縁部１１０Ｃ１がねじ１０４に当接するか、あるいは当接する手前であって、当接するまで回したときとほぼ同じ締結力が雄ねじ１０２Ａと雌ねじ１１０Ａの間に生ずる位置まで、マウントリング１１を基板側リング１０２に締め込んだ位置である。
【００９５】
この所定位置にマウントリング１１０が回転させられると、ストッパ板１２１は、コイルスプリング１２０Ｃの付勢力により前方に移動し、リブ１１０Ｄの右側端部１１０Ｄ１に係合するロック位置に変位する。つまり、マウントリング１１０を、基板側リング１０２に対して締め付け方向の所定位置に回転させると自動的に、ストッパ板１２１がロック位置に変位し、マウントリング１１０が緩み方向に回転することを阻止する。また、ボタン１２０にストッパ板１２１とともに一体に設けられている当接板１２２もストッパ板１２１とともに前方に変位する。当接板１２２がリブ１１０Ｄの当接面１１０Ｄ２に当接することにより、ボタン１２０に当接板１２２とともに一体に設けられているストッパ板１２１も変位が止まり、ロック位置に保持される。
【００９６】
この所定位置までマウントリング１１０を回転させると、自動的に、ストッパ板１２１がロック位置に変位し、マウントリング１１０が緩み方向に回転することを阻止する。また、ボタン１２０にストッパ板１２１とともに一体に設けられている当接板１２２もストッパ板１２１とともに前方に変位する。当接板１２２がリブ１１０Ｄの当接面１１０Ｄ２に当接することにより、ボタン１２０に当接板１２２とともに一体に設けられているストッパ板１２１も変位が止まり、ロック位置に保持される。
【００９７】
ストッパ板１２１がロック位置に保持されている状態では、マウントリング１１０を緩めようとして右側に回転しようとしても、ストッパ板１２１が、リブ１１０Ｄの右端部１１０Ｄ１に対して係合するため、マウントリング１１０の回転は阻止される。つまり、マウントリング１１０が緩むことが防止される。
【００９８】
上述のように、リブ１１０Ｄの当接面１１０Ｄ２がストッパ板１２１の前端部から外れ、当接板１２２がリブ１１０Ｄの当接面１１０Ｄ２に当接する際、すなわち、ストッパ板１２１が否ロック位置からロック位置に変位する際には、スプリング１２０Ｃの付勢力により、当接板１２２がリブ１１０Ｄの当接面１１０Ｄ２に対して衝突する。その際に衝突音や衝突の振動が生じ、作業者は、マウントリング１１０が所定位置まで締め込まれたことを認識することができる。つまり、作業者は、当接板１２２とリブ１１０Ｄの当接面１１０Ｄ２との衝突による衝突音や衝突の振動を、マウントリング１１０を締め付け方向の所定位置（縁部１０１Ｃ２がねじ１０４に当接する位置）に回転したことをクリック感として感じることができる。
【００９９】
投射レンズ鏡筒６０をフランジ部１０１から取り外すときは、ボタン１２０を後方に向けて押し、ストッパ板１２１を、リブ１１０Ｄの右側端部１１０Ｄ１との係合が外れる否ロック位置に変位させる。そして、図５（Ｂ）に示すように、凹部１１０Ｃの左側の縁部１１０Ｃ２が、ねじ１０４に当接するまでマウントリング１１０を回転し、マウントリング１１０の基板側リング１０２に対する締め込みを緩める。マウントリング１１０をここまで回転すると、投射レンズ鏡筒６０側のバヨネットフランジ６０Ａは、マウントリング１１０のバヨネット爪１１０Ｂとマウント面１０２Ｂの間で光軸の回りに回転できるようになるので、バヨネット爪６０ａをバヨネット爪１１０Ｂの間を通してマウントリング１１０から抜き取ることができる。
【０１００】
マウント基板１００の上下左右方向の周囲は、外装筐体（図示を省略）により覆われる。そのため、上下あるいは、左右の方向からボタン１２０を操作することは難しい。しかしながら、この実施の形態においては、後方から前方に向かってコイルスプリング１２０Ｃにより付勢されているストッパ板１２１を、付勢力に抗して後方に変位させて否ロック位置に変位させることにより、リブ１１０Ｄとの係合を解除することができる。そのため、ストッパ板１２１が一体に形成されているボタン１２０を、外装筐体によって覆われていない前方から後方に向かって押すように操作することで、ストッパ板１２１とリブ１１０Ｄとの係合を解除することができる。つまり、ストッパ板１２１とリブ１１０Ｄとの係合の解除作業がしやすい構成になっている。
【０１０１】
上述の実施の形態では、回転規制手段をマウントリング１１０に形成される凹部１１０Ｃの縁部Ｃ１とねじ１０４により構成しているが、基板側リング１０２の外周面に光軸の周りに沿う溝部を形成し、マウントリング１１０側に、この溝部の両端に係合するねじを設けるようにして構成してもよい。また、ストッパ手段は、ストッパ板１２１のような板状でなくても棒状等の形状でもよい。また、付勢手段は、コイルスプリング１２０Ｃの他に、ゴム等の弾性手段を用いることができる。係合手段とストッパ手段との係合は、ストッパ手段が係合手段に形成した凹部に嵌ることにより、係合手段とストッパ手段とが係合する構成としてもよい。例えば、リブ１１０Ｄの後側の面にストッパ板１２１が嵌る凹部を形成することにより、マウントリング１１０の回転を阻止するようにしてもよい。
【図面の簡単な説明】
【０１０２】
【図１】本発明の実施の形態に係る投射型表示装置の全体構成を示す構成図である。
【図２】図１に示す投射型表示装置の微小ミラー型表示素子保持筐体より前方の構成を示す分解斜視図である。
【図３】図１に示す投射型表示装置の微小ミラー型表示素子保持筐体より前方部分の斜視図である。
【図４】本発明の実施の形態に係る投射型表示装置について、第１のレンズ鏡筒シフト機構、第２のレンズ鏡筒シフト機構、投射レンズ鏡筒等が取り付けられた状態を斜視図として示すとともに、第２の移動体に組み込まれる第２の駆動系部の部分を分解斜視図として示す図である。
【図５】図１に示す投射型表示装置におけるマウントリングの作用を説明するための図で、（Ａ）は、マウントリングが締め付け方向の所定位置に回転し、投射レンズ鏡筒がマウント基板に固定されている状態を示す図である。（Ｂ）は、マウントリングが投射レンズ鏡筒をマウント基板から取り外し可能な位置に回転している状態を示す図である。
【図６】図１に示す投射型表示装置の投射レンズ鏡筒のマウント基板への取り付け部の構造を示す分解斜視図である。（Ａ）は前方左上側から見た斜視図で、（Ｂ）は前方右上側から見た斜視図で、（Ｃ）は後方右上側から見た斜視図である。
【図７】図１に示す投射型表示装置の投射レンズ鏡筒のマウント基板への取り付け部の構造を示す斜視図である。（Ａ）は前方左上側から見た斜視図で、（Ｂ）は前方右上側から見た斜視図で、（Ｃ）は後方右上側から見た斜視図である。
【符号の説明】
【０１０３】
１０  …  投射型表示装置
６０  …  投射レンズ鏡筒
１０４  …  ねじ（回転規制手段）
１１０  …  マウントリング
１１０Ｃ１  …  縁部（回転規制手段）
１１０Ｄ  …  リブ（係合手段）
１１０Ｄ１  …  右側端部（係合部）
１１０Ｄ２  …  当接面（当接部）
１２０Ｃ  …  コイルスプリング（付勢手段）
１２１  …  ストッパ板（ストッパ手段）
１２２  …  当接板（当接部）
【図１】
0005238130.tif 000002
【図２】
0005238130.tif 000003
【図３】
0005238130.tif 000004
【図４】
0005238130.tif 000005
【図５】
0005238130.tif 000006
【図６】
0005238130.tif 000007
【図７】
0005238130.tif 000008